(57)【要約】【課題】  簡単な操作で、しかも、確実に、画像データに消去プロテクトをかけることができるカメラを提供する。【解決手段】  撮像素子と、撮影素子から得られる画像データを記録媒体に記録する記録手段と、記録手段で作成される画像ファイルに対する消去防止のための消去プロテクトを掛けるか否かを、撮影する前に予め指定する消去プロテクト指定手段と、撮影動作で記録媒体に記録する際に、消去プロテクト指定手段の出力に基づいて消去プロテクトを掛ける消去プロテクト実行手段とを有する。【選択図】  図１
2005130393.tif 000002
【特許請求の範囲】
【請求項１】
撮像素子と、
撮影素子から得られる画像データを記録媒体に記録する記録手段と、
記録手段で作成される画像ファイルに対する消去防止のための消去プロテクトを掛けるか否かを、撮影する前に予め指定する消去プロテクト指定手段と、
撮影動作で記録媒体に記録する際に、消去プロテクト指定手段の出力に基づいて消去プロテクトを掛ける消去プロテクト実行手段とを有することを特徴とするカメラ。
【請求項２】
撮影モードの変更操作に応じて、前記消去プロテクト指定手段での初期設定状態を異ならせる初期設定状態決定手段とを有することを特徴とする請求項１に記載のカメラ。
【請求項３】
撮像素子と、
撮影素子から得られる画像データを記録媒体に記録する記録手段と、
撮影動作で記録媒体に記録する際に、撮影モードに応じて、消去防止のための消去プロテクトを掛ける消去プロテクト実行手段とを有することを特徴とするカメラ。
【請求項４】
撮像素子と、
該撮像素子によって撮像された画像データに対して、データ消去を防止するための消去プロテクトの設定を行う設定手段と、
入力後に撮像される画像データに対して、前記設定手段による前記消去プロテクトの設定を行うか否かを入力するための入力手段とを有することを特徴とするカメラ。
【発明の詳細な説明】
【技術分野】
【０００１】
本発明は、画像を記録媒体に記録するカメラおよび画像ファイルの消去プロテクト方法に関するものである。
【背景技術】
【０００２】
従来、レンズで捉えた光学的な静止画像を撮像素子により電気信号に変換し、これをＣＦカードなどの記録媒体に記録するようにした電子カメラが実用化されている。また、ＣＦカードなどに記録されている画像データの中から１つの画像を選択し、カメラに組み込まれたＴＦＴ−ＬＣＤなどを用いて再生表示させ、撮影した画像を確認できるようにしたカメラも実用化されている。
【０００３】
また、指定した画像データを再生表示中に所定の操作を行う事で、指定した画像ファイルを消去するようにしたカメラも実用化されている。
【０００４】
また、誤って画像ファイルを消去することがないように、指定した画像ファイルに対して消去防止のための消去プロテクトを設定できるカメラも実用化されている。
【特許文献１】特開２０００−０９９７５８号公報
【発明の開示】
【発明が解決しようとする課題】
【０００５】
しかし、上記のような電子カメラでは、誤消去防止のための消去プロテクトの設定操作は、撮影済みの画像ファイルに対してのみ有効であった。このため、撮影した画像ファイルは、消去プロテクトが掛けられるまでの期間は、誤操作により誤消去される危険性があった。
【０００６】
また、誤消去防止のための消去プロテクトを設定する操作は、特にカメラ操作に不慣れな初心者にとっては面倒な操作である。
【０００７】
本発明は、上記の背景に鑑みてなされたものであり、簡単な操作で、しかも確実に、誤消去防止のための消去プロテクトを設定することができる電子カメラを提供する事を目的とする。
【課題を解決するための手段】
【０００８】
本発明の第１の発明の構成は、撮像素子と、撮影素子から得られる画像データを記録媒体に記録する記録手段と、記録手段で作成される画像ファイルに対する消去防止のための消去プロテクトを掛けるか否かを、撮影する前に予め指定する消去プロテクト指定手段と、撮影動作で記録媒体に記録する際に、消去プロテクト指定手段の出力に基づいて消去プロテクトを掛ける消去プロテクト実行手段とを有することを特徴とする。
【０００９】
本発明の第２の発明の構成は、前期消去プロテクト指定手段は、撮影モードの変更操作に応じて、初期設定状態を異ならせる初期設定状態決定手段とを有することを特徴とする。
【００１０】
本発明の第３の発明の構成は、撮像素子と、撮影素子から得られる画像データを記録媒体に記録する記録手段と、撮影動作で記録媒体に記録する際に、撮影モードに応じて、消去防止のための消去プロテクトを掛ける消去プロテクト実行手段とを有することを特徴とする。
【００１１】
本発明の第４の構成は、撮像素子と、撮像素子によって撮像された画像データに対して、データ消去を防止するための消去プロテクトの設定を行う設定手段と、入力後に撮像される画像データに対して、設定手段による前記消去プロテクトの設定を行うか否かを入力するための入力手段とを有することを特徴とする。
【発明の効果】
【００１２】
請求項１から２に記載の本発明によれば、誤消去防止のための消去プロテクトの「設定・非設定」を予め指定できるので、消去プロテクトの指定を「設定」にして撮影すれば、自動的に消去プロテクトが掛けられるので、誤消去の危険性を低減することができる。
また、カメラ操作に不慣れな初心者に対しても、簡単な操作で、しかも確実に、消去プロテクトを掛けることができる。
【００１３】
また、撮影モードの変更操作を行うと、消去プロテクト指定の「設定・非設定」の初期設定が行われる。詳しくは、撮影モードを「応用撮影ゾーン」に変更した場合は、消去プロテクト指定が「非設定」になり、撮影モードを「簡単撮影ゾーン」に変更した場合は、消去プロテクト指定が「設定」になるので、撮影モードに適応した消去プロテクト指定の「設定・非設定」が行われる。
【００１４】
また、初心者にカメラを貸す場合などおいても、予め消去プロテクト指定を「設定」にして貸し出す事で、誤消去の危険性を低減することができる。
【００１５】
また、請求項３に記載の本発明によれば、撮影モードに連動して、消去プロテクトの「設定・非設定」が自動的に切り替わるので、具体的には、撮影モードが「簡単撮影ゾーン」の場合、撮影すると同時に自動的に消去プロテクトが掛かるため、初心者は誤消去の心配をすることなく撮影することができる。
【発明を実施するための最良の形態】
【００１６】
以下、本発明の実施例について説明する。
【実施例１】
【００１７】
以下、図面を参照しながら本発明の実施例１について説明する。図１は、本実施例に係る画像処理装置の構成を示す図である。この画像処理装置１００は、電子カメラとしての機能を有する。
【００１８】
１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換器である。撮像素子１４は、本発明の請求項１から３に係わる撮像素子である。
【００１９】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２０】
２０は画像処理回路であり、Ａ／Ｄ変換器１６からのデータ或いはメモリ制御回路２２からのデータに対して所定の画素補間処理や色変換処理を行う。また、画像処理回路２０では、撮像に係る画像データを用いて所定の演算処理を行って、その演算結果をシステム制御回路５０に供給する。システム制御回路５０は、その演算結果に基づいて、露光制御部４０、測距制御部４２を制御して、ＴＴＬ（スルー・ザ・レンズ）方式のＡＦ（オートフォーカス）処理、ＡＥ（自動露出）処理、ＥＦ（フラッシュプリ発光）処理を実現する。さらに、画像処理回路２０では、撮像に係る画像データを用いてＴＴＬ方式のＡＷＢ（オートホワイトバランス）処理も行う。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６から出力されるデータは、画像処理回路２０を介してメモリ制御回路２２に供給され、或いは直接メモリ制御回路２２に供給され、これにより、画像表示メモリ２４或いはメモリ３０に書き込まれる。
【００２３】
２４は画像表示メモリ、２６はＤ／Ａ変換器、２８はＴＦＴ−ＬＣＤ等から成る画像表示部である。画像表示メモリ２４に書き込まれた表示用の画像データはＤ／Ａ変換器２６を介して画像表示部２８に供給され、これにより画像表示部２８に画像が表示される。画像表示部２８に撮像に係る画像を逐次表示することにより、電子ファインダー機能を実現することができる。
【００２４】
また、画像表示部２８は、システム制御回路５０の指示により任意に表示をＯＮ／ＯＦＦすることが可能であり、表示をＯＦＦにした場合には画像処理装置１００の電力消費を大幅に低減することができる。
【００２５】
さらに、画像表示部２８は、回転可能なヒンジ部によって画像処理装置１００本体と結合されておいる。使用者は、画像表示部２８を自由な向き、角度に設定して、電子ファインダー機能や再生表示機能、各種表示機能を利用することができる。
【００２６】
また、この画像処理装置１００では、画像表示部２８の表示面を画像処理装置１００の本体側に向けて格納することが可能である。この格納状態は、画像表示部の開閉検知部１０６により検知され、これに基づいて画像表示部２８の表示がＯＦＦ状態にされる。
【００２７】
３０は撮影した静止画像や動画像を格納するためのメモリであり、所定枚数の静止画像や所定時間の動画像を格納するのに十分な記憶量を備えている。このメモリ３０を利用することにより、複数枚の静止画像を連続して撮影する連写撮影やパノラマ撮影の場合においても、高速に大量の画像を保存することができる。また、メモリ３０はシステム制御回路５０の作業領域としても利用され得る。
【００２８】
３２は適応離散コサイン変換（ＡＤＣＴ）等により画像データを圧縮し又は伸長する圧縮・伸長回路であり、メモリ３０に格納された画像を読み込んで圧縮処理或いは伸長処理を行い、処理を終えたデータをメモリ３０に書き込む。
【００２９】
４０は絞り機能を備えるシャッター１２を制御する露光制御部であり、フラッシュ４８と連携してフラッシュ調光を行うこともできる。
【００３０】
４２は撮影レンズ１０のフォーカシングを制御する測距制御部である。露光制御部４０及び測距制御部４２は、撮像に係る画像データを画像処理回路２０が演算した演算結果に基づいて、システム制御回路５０によって制御される。これにより、ＴＴＬ方式の露光制御及び測距制御が実現される。
【００３１】
４４は撮影レンズ１０のズーミングを制御するズーム制御部、４６はバリア（保護部）１０２の動作を制御するバリア制御部である。４８はコネクタであり、アクセサリーシューとも呼ばれる。このコネクタ４８には、フラッシュ装置４００との電気接点や機械的な固定手段が含まれる。５０は画像処理装置１００全体を制御するシステム制御回路、５２はシステム制御回路５０の動作用の定数、変数、プログラム等を記憶するメモリである。
【００３２】
５４はシステム制御回路５０によるプログラムの実行に応じて、文字、画像、音声等を用いて動作状態やメッセージ等を表示する液晶表示装置やスピーカー等を含む出力部であり、画像処理装置１００の操作部近辺の視認し易い位置に単数或いは複数個所設置され、例えばＬＣＤやＬＥＤ、発音素子等の組み合わせにより構成されている。また、表示部５４は、その一部が光学ファインダー１０４内に設置されている。
【００３３】
表示部５４の表示内容のうち、ＬＣＤ等で表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付け・時刻表示等がある。
【００３４】
また、表示部５４の表示内容のうち、光学ファインダー１０４内に表示するものとしては、合焦表示、手振れ警告表示、フラッシュ充電表示、シャッタースピード表示、絞り値表示、露出補正表示等がある。
【００３５】
５６は電気的に消去・記録可能な不揮発性メモリであり、例えばＥＥＰＲＯＭ等で構成される。
【００３６】
６０、６２、６４、６６、６８、７０、７２、７４、７６、及び７８は、システム制御回路５０の各種の動作指示を入力するための操作手段であり、例えば、スイッチやダイアル、タッチパネル、視線検知によるポインティング、音声認識装置等の単数或いは複数の組み合わせで構成され得る。
【００３７】
より具体的には、６０はモードダイアルであり、これにより、撮影モードを設定できる。また、モードダイヤルは大きく３つの機能ゾーンに分かれていて、カメラを不作動にするＯＦＦポジション、撮影者が撮影内容を設定できる「応用撮影ゾーン」、カメラ任せの全自動撮影ができる「簡単撮影ゾーン」がある。
【００３８】
「簡単撮影ゾーン」は、更に、カメラ任せの全自動撮影を行う全自動モードと、カメラ任せの状況別全自動撮影を行う「イメージゾーン」がある。
【００３９】
「応用撮影ゾーン」は、プログラムＡＥモード、シャッター速度優先ＡＥモード、絞り優先ＡＥモード、マニュアル露出モードの４つの撮影モードを持っている。
【００４０】
「簡単撮影ゾーン」は、ポートレート撮影に適したポートレートモード、風景撮影に適した風景モード、クローズアップ撮影に適したクローズアップモード、運動会等の動きのある被写体の撮影に適したスポーツモード、夜景の撮影に適した夜景モードの５つの撮影モードを持っている。
【００４１】
「簡単撮影ゾーン」は主に初心者向けの撮影モードであり、「応用撮影ゾーン」は主にカメラをある程度使いこなせる人向けの撮影モードと言われている。
【００４２】
また、６２はシャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
また、６４はシャッタースイッチＳＷ２であり、前記シャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００４３】
６６は画像表示ＯＮ／ＯＦＦスイッチであり、これにより、画像表示部２８のＯＮ／ＯＦＦを設定することができる。このスイッチ６６により、光学ファインダー１０４を用いて撮影を行う際に、ＴＦＴ−ＬＣＤ等から成る画像表示部への電流供給を遮断することにより、電力消費を抑えることができる。
【００４４】
６８は再生釦であり、これにより、再生モードになり、過去に撮影した画像を再生して確認する事ができる。
【００４５】
７０はメニュー釦であり、これにより、メニューモードとなる。
【００４６】
メニューモードにおいて、消去プロテクト自動実行機能のＯＮ／ＯＦＦの設定変更を行う事ができる。
【００４７】
また、一般的に、メニューモードで扱われる項目として、記録画素数、圧縮率等があるが、説明の便宜上、本実施例では、メニューモードで扱う項目は、消去プロテクト自動実行機能のＯＮ／ＯＦＦの設定のみとしている。
【００４８】
７２は移動＋釦、７４は移動−釦であり、これらにより、メニューモードでの項目の切り替えや、各項目毎の設定内容の変更を行う事ができる。
【００４９】
また、移動＋釦７２、移動―釦７４により、再生モードにおける、再生画像の変更操作を行う事ができる。
【００５０】
７６はセット釦であり、メニューモードでの項目の確定操作や、各項目の設定変更の確定操作を行う事ができる。
【００５１】
７８は消去釦であり、これにより、指定した画像ファイルを消去する事ができる。
【００５２】
また、システム制御回路５０の各種の動作指示を入力するための操作手段については、本発明とは直接関係しないが、マクロボタン、フラッシュ設定ボタン、等が含まれる。
【００５３】
８０は電源制御部であり、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５４】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００５５】
９０は記録媒体２００と接続するためのインタフェース、９２は記録媒体２００と接続するためのコネクタである。
【００５６】
９８はコネクタ９２に記録媒体装置２００が装着されているか否かを検知する着脱検知部である。
【００５７】
１０２は、画像処理装置１００のレンズ１０を含む撮像部を覆う事により、該撮像部の汚れや破損を防止するバリア（保護部）である。
【００５８】
１０４は光学ファインダーである。この光学ファインダー１０４を利用することにより、画像表示部２８によって構成される電子ファインダー機能を利用することなく、撮影を行うことができる。また、光学ファインダー１０４内には、表示部５４の一部、例えば、合焦表示、手振れ警告表示、フラッシュ充電表示、シャッタースピード表示、絞り値表示、露出補正表示を行うための素子が配置されている。
【００５９】
１０６は画像表示部の開閉検知部であり、画像表示部２８が、その表示面を画像処理装置１００の本体側に向けられた状態、即ち格納状態にあるかどうかを検知する。ここで、格納状態にあるが検知された場合には、画像表示部２８の表示をＯＦＦ状態とすることにより、不要な電力消費を防止することができる。
【００６０】
２００は着脱可能なＣＦ（コンパクトフラッシュ(登録商標)）カード等の記録媒体である。
【００６１】
４００はフラッシュ装置である。４０２はフラッシュ装置４００を画像処理装置１００のアクセサリーシューと接続するためのコネクタである。４０４は発光部であり、ＡＦ補助光の投光機能、フラッシュ調光機能も有する。
【００６２】
次いで、図２から図４を参照して画像処理装置１００の主ルーチンの動作を説明する。
【００６３】
電池交換に伴う電源投入等に従って、システム制御回路５０は、Ｓ１０１において、フラグや制御変数等を初期化し、Ｓ１０２では、画像表示部２８の画像表示をＯＦＦ状態に初期設定する。
【００６４】
Ｓ１０３では、システム制御回路５０は、「消去プロテクト自動実行機能の初期化要求フラグ」を１にセットする。
【００６５】
Ｓ１０４では、システム制御回路５０は、モードダイアル６０の設定位置を判断する。
モードダイアル６０が「ＯＦＦ」に設定されている場合はＳ１０５に進み、モードダイヤル６０が「ＯＦＦ」以外に設定されている場合はＳ１０６に進む。
【００６６】
Ｓ１０５では、システム制御回路５０は、各表示部の表示を終了状態に変更し、バリア（保護部）１０２を閉じて撮像部を保護し、フラグや制御変数等を含む必要なパラメータや設定値、設定モードを不揮発性メモリ５６に記録し、電源制御部８０により画像表示部２８を含む画像処理装置１００各部の不要な電源を遮断する等の所定の終了処理を行い、Ｓ１０４に戻る。
【００６７】
Ｓ１０６では、システム制御回路５０は、モードダイアル６０による撮影モードの変更があったか否かを確認し、撮影モードが変更された場合はＳ１０７に進み、撮影モードの変更がされていない場合はＳ１０８に進む。
【００６８】
Ｓ１０７では、システム制御回路５０は、「消去プロテクト自動実行機能の初期化要求フラグ」を１にセットし、Ｓ１０８に進む。
【００６９】
Ｓ１０８では、システム制御回路５０は、「消去プロテクト自動実行機能の初期化要求フラグ」の状態を確認し、「消去プロテクト自動実行機能の初期化要求フラグ」が１に設定されている場合はＳ１０９に進み、「消去プロテクト自動実行機能の初期化要求フラグ」が０に設定されている場合はＳ１１０に進む。
【００７０】
Ｓ１０９では、システム制御回路５０は、消去プロテクト自動実行機能の初期化処理を行う。この消去プロテクト自動実行機能の初期化処理（Ｓ１０９）の詳細は図１１を用いて後述する。
【００７１】
Ｓ１０９に来るのは、電源投入により「消去プロテクト自動実行機能の初期化要求フラグ」がセットされた場合（Ｓ１０３）、あるいは、モードダイヤル６０による撮影モードが変更されて、「消去プロテクト自動実行機能の初期化要求フラグ」がセットされた場合（Ｓ１０７）のいずれかである。
【００７２】
これにより、電源投入時や撮影モードが変更された場合において、消去プロテクト自動実行機能のＯＮ／ＯＦＦの設定の初期化が行われることになる。
【００７３】
Ｓ１１０では、システム制御回路５０は、メニュー釦７０の状態を確認する。そして、メニュー釦７０が押されている場合はＳ１１１に進み、メニュー釦７０が押されていない場合はＳ１１２に進む。
【００７４】
Ｓ１１１では、システム制御回路５０は、メニューモード処理を行う。
【００７５】
メニューモード処理の中で、消去プロテクト自動実行機能のＯＮ／ＯＦＦの設定変更を行う。このメニューモード処理（Ｓ１１１）の詳細は図９を用いて後述する。
【００７６】
また、一般的に、メニューモードで扱われる項目として、記録画素数、圧縮率等があるが、説明の便宜上、本実施例では、メニューモードで扱う項目は、消去プロテクト自動実行機能のＯＮ／ＯＦＦの設定のみとしている。
【００７７】
Ｓ１１２では、システム制御回路５０は、再生釦６８の状態を確認する。そして、再生釦６８が押されている場合はＳ１１４に進み、再生釦６８が押されていない場合はＳ１１３に進む。
【００７８】
Ｓ１１３は、システム制御回路５０は、表示部５４を用いて画像や音声により画像処理装置１００の各種設定状態の出力する。なお、画像表示部２８の画像表示がＯＮである場合には、画像表示部２８をも利用して画像処理装置１００の各種設定状態の表示を行ってもよい。そして、Ｓ１３０に進む。
【００７９】
Ｓ１１４では、システム制御回路５０は、再生モード処理を行う。
【００８０】
再生モードとは、過去に撮影した画像を再生するためのモードである。この再生モード処理（Ｓ１１４）の詳細は図１０を用いて後述する。
【００８１】
Ｓ１３０では、システム制御回路５０は、画像表示のＯＮ／ＯＦＦを切り換える為のスイッチ６６の設定状態を確認し、画像表示がＯＮに設定されている場合はＳ１３１に進み、画像表示がＯＦＦに設定されている場合はＳ１３５に進む。
【００８２】
Ｓ１３１では、システム制御回路５０は、画像表示部の開閉に関する検知部１０６により画像表示部２８が格納状態にあるか、表示可能状態（表示面が外部から見える状態）にあるかを判断する。そして、表示可能状態にあると判断したならば、Ｓ１３２で、画像表示フラグを設定し、Ｓ１３３で、画像表示部２８の画像表示をＯＮ状態に設定し、さらに、Ｓ１３４で、撮像中の画像を逐次表示するスルー表示状態に設定して、Ｓ１３７に進む。
【００８３】
ここで、スルー表示状態においては、撮像素子１４から読み出してＡ／Ｄ変換器１６、画像処理回路２０、メモリ制御回路２２を介して、画像表示メモリ２４に逐次書き込まれる画像データを、メモリ制御回路２２、Ｄ／Ａ変換器２６を介して画像表示部２８に逐次供給し、表示画像を連続的に更新することにより、電子ファインダー機能が実現される。
【００８４】
Ｓ１３０で、画像表示ＯＮ／ＯＦＦスイッチ６６が画像表示ＯＦＦの状態に設定されていた場合、或いは、Ｓ１３１で、画像表示部２８が格納状態にあると判断した場合は、Ｓ１３５で、画像表示フラグを解除し、Ｓ１３６で、画像表示部２８の画像表示をＯＦＦ状態に設定して、Ｓ１３７に進む。
【００８５】
ここで、画像表示ＯＦＦの状態では、画像表示部２８による電子ファインダー機能が利用できないため、光学ファインダー１０４を利用して撮影を行う必要がある。しかし、この場合、電力消費量の大きい画像表示部２８やＤ／Ａ変換器２６等の消費電力を削減することができるという利点がある。
【００８６】
尚、画像表示フラグの状態は、システム制御回路５０の内部メモリ或いはメモリ５２に記憶される。
【００８７】
Ｓ１３７では、システム制御回路５０は、シャッタースイッチＳＷ１の状態を確認し、シャッタースイッチＳＷ１がＯＦＦである場合はＳ１０４に戻る。一方、シャッタースイッチＳＷ１がＯＮである場合はＳ１３８に進む。
【００８８】
Ｓ１３８では、システム制御回路５０は、システム制御回路５０の内部メモリ或いはメモリ５２に記憶される画像表示フラグの状態を確認する。そして、画像表示フラグが設定されていたならば、Ｓ１３９で、画像表示部２８の表示状態をフリーズ表示状態に設定して、Ｓ１４０に進む。Ｓ１３８で、画像表示フラグが解除されていたならば、Ｓ１４０に進む。
【００８９】
ここで、フリーズ表示状態においては、撮像素子１４から画像データを読み出して、これをＡ／Ｄ変換器１６、画像処理回路２０、メモリ制御回路２２を介して画像表示メモリ２４に書込む動作、即ち画像データの更新を中止する。そして、画像表示メモリ２４に最後に書き込まれた画像データを、メモリ制御回路２２、Ｄ／Ａ変換器２６を介して画像表示部２８により供給し続けることにより、フリーズした画像を電子ファインダーとしての画像表示部２８に表示する。
【００９０】
Ｓ１４０では、システム制御回路５０は、測距処理を行って、撮影レンズ１０の焦点を被写体までの距離に応じて調整すると共に、測光処理を行って、絞り値及びシャッター時間を決定する。ここで、この測光処理では、必要であればフラッシュの設定も行う。この測距・測光処理（Ｓ１４０）の詳細は図５を用いて後述する。
【００９１】
Ｓ１４１では、システム制御回路５０は、システム制御回路５０の内部メモリ或いはメモリ５２に記憶される画像表示フラグの状態を確認し、画像表示フラグが設定されていたならば、Ｓ１４２で、画像表示部２８の表示状態をスルー表示状態に設定して、Ｓ１４３に進む。
【００９２】
Ｓ１４３では、システム制御回路５０は、シャッタースイッチＳＷ２の状態を確認し、シャッタースイッチＳＷ２がＯＦＦ状態であれば、Ｓ１４５で、更にシャッタースイッチＳＷ１の状態を確認し、シャッタースイッチＳＷ１もＯＦＦ状態であれば、Ｓ１０４に戻る。
【００９３】
一方、Ｓ１４３で、シャッタースイッチＳＷ２がＯＮであったならば、システム制御回路５０は、Ｓ１４４で、システム制御回路５０の内部メモリ或いはメモリ５２に記憶される画像表示フラグの状態を確認する。そして、画像表示フラグが設定されていたならば、システム制御回路５０は、Ｓ１４６で、画像表示部２８の表示状態を固定色表示状態に設定して、Ｓ１５０に進む。一方、Ｓ１４４で、画像表示フラグが解除されていたならば、Ｓ１５０に進む。
【００９４】
ここで、固定色表示状態においては、撮像素子１４からＡ／Ｄ変換器１６、画像処理回路２０、メモリ制御回路２２を介して画像表示メモリ２４に書込まれた画像データに固定色の画像データで上書きし、これをメモリ制御回路２２、Ｄ／Ａ変換器２６を介して画像表示部２８に供給することにより、固定色の画像を電子ファインダーとしての画像表示部２８に表示する。
【００９５】
Ｓ１５０では、システム制御回路５０は、撮像素子１４による撮像に係る画像データを、Ａ／Ｄ変換器１６、画像処理回路２０及びメモリ制御回路２２を介して、或いはＡ／Ｄ変換器及びメモリ制御回路２２を介して、メモリ３０に書き込む露光処理、並びに、メモリ制御回路２２及び必要に応じて画像処理回路２０を用いてメモリ３０に書き込まれた画像データを読み出して各種処理を行う現像処理からなる撮影処理を実行する。この撮影処理（Ｓ１５０）の詳細は図６を用いて後述する。
【００９６】
Ｓ１５１では、システム制御回路５０は、システム制御回路５０の内部メモリ或いはメモリ５２に記憶される画像表示フラグの状態を確認する。そして、画像表示フラグが設定されていたならば、Ｓ１５２で、メモリ３０から画像データを読み出して、これを画像表示部２８の表示形式に適合させて、メモリ制御回路２２を介して画像表示メモリ２４に転送し、画像表示部２８に画像を表示する。この表示は、第１のクイックレビュー表示である。この第１のクイックレビュー表示は、ダーク取り込み処理（Ｓ１５３）が行われる前、即ちダーク補正演算を行う前の画像データに基づいて実行される。
【００９７】
尚、第１のクイックレビュー表示（Ｓ１５２）においては、まだダーク取り込み処理（Ｓ１５３）を終えていない状態であるため、画像表示部２８によって表示されるクイックレビュー画像に、例えば「ｂｕｓｙ」等の文字表示を重ねて表示し、その旨を明示することが好ましい。
【００９８】
Ｓ１５１で、画像表示フラグが解除されていたならば、画像表示部２８がＯＦＦの状態のままＳ１５３に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法を意図したものである。
【００９９】
Ｓ１５３では、システム制御回路５０は、シャッター１２を閉じた状態で撮像素子１４の暗電流等のノイズ成分を本撮影と同じ時間蓄積し、蓄積を終えたノイズ画像信号を読み出すダーク取り込み処理を行い、Ｓ１５４に進む。
【０１００】
このダーク取り込み処理で取り込んだダーク画像データを用いて補正演算処理を行うことにより、撮像素子１４の発生する暗電流ノイズや撮像素子１４固有のキズによる画素欠損等の画質劣化を低減することができる。このダーク取り込み処理（Ｓ１５３）の詳細は図７を用いて後述する。
【０１０１】
Ｓ１５４では、システム制御回路５０は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行い、その演算結果をシステム制御回路５０の内部メモリ或いはメモリ５２に記憶する。
【０１０２】
そして、システム制御回路５０は、メモリ制御回路２２、及び必要に応じて画像処理回路２０を用いて、メモリ３０の所定領域に書き込まれた撮影画像データを読み出して、システム制御回路５０の内部メモリ或いはメモリ５２に記憶した演算結果を用いて、ＡＷＢ（オートホワイトバランス）処理、ガンマ変換処理、色変換処理を含む各種現像処理を行う（Ｓ１５４）。
【０１０３】
さらに、現像処理においては、ダーク取り込み処理において取り込んだダーク画像データを用いて減算処理を行うことにより、撮像素子１４の暗電流ノイズ等を打ち消すダーク補正演算処理も併せて行う。この現像処理（Ｓ１５４）の詳細は図８を用いて後述する。
【０１０４】
Ｓ１５５では、システム制御回路５０は、メモリ３０の所定領域に書き込まれた画像データを読み出して、設定されたモードに応じた画像圧縮処理を圧縮・伸長回路３２により行い、その圧縮した画像データをメモリ３０の画像記憶バッファ領域の空き画像部分に書込む。
【０１０５】
これより説明するＳ１５６、Ｓ１５８、Ｓ１６０は、本発明の請求項１から２に係わる消去プロテクト実行手段である。
【０１０６】
Ｓ１５６では、システム制御回路５０は、消去プロテクト自動実行機能の設定状態を確認する。消去プロテクト自動実行機能がＯＮに設定されている場合はＳ１５９に進み、消去プロテクト自動実行機能がＯＦＦに設定されている場合はＳ１５７に進む。
【０１０７】
Ｓ１５７では、システム制御回路５０は、メモリ３０の画像記憶バッファ領域に記憶した画像データを読み出して、インタフェース９０、コネクタ９２を介して、コンパクトフラッシュ(登録商標)カード等の記録媒体に書き込みを行う記録処理を行う。
【０１０８】
記録処理で記録される画像ファイルの形態を図１２に示す。
【０１０９】
画像ファイルの形態は、シャッター速度、絞り値、日付、などを含む撮影情報と、サムネイル画像、本画像から構成される。
【０１１０】
ここで、記録処理の実行中は、例えば、表示部５４においてＬＥＤを点滅させるなどしてその旨を明示することが好ましい。
【０１１１】
Ｓ１５７は、本発明の請求項１から２に係わる記録手段である。
【０１１２】
Ｓ１５８では、システム制御回路５０は、Ｓ１５７で記録した画像ファイルに対して消去プロテクトを掛けないための処理を行う。詳しくは、Ｓ１５７で記録した画像ファイルのファイル属性を「読み書き」に設定する。
【０１１３】
Ｓ１５９では、システム制御回路５０は、メモリ３０の画像記憶バッファ領域に記憶した画像データを読み出して、インタフェース９０、コネクタ９２を介して、コンパクトフラッシュ(登録商標)カード等の記録媒体に書き込みを行う記録処理を行う。
【０１１４】
Ｓ１５９で行われる記録処理は、Ｓ１５７の記録処理と同様である。Ｓ１５９は、本発明の請求項１から２に係わる記録手段である。
【０１１５】
Ｓ１６０では、システム制御回路５０は、Ｓ１５９で記録した画像ファイルに対して消去プロテクトを掛けるための処理を行う。詳しくは、Ｓ１５９で記録した画像ファイルのファイル属性を「読み出し専用」に設定する。
【０１１６】
Ｓ１６１では、システム制御回路５０は、システム制御回路５０の内部メモリ或いはメモリ５２に記憶される画像表示フラグの状態を確認する。そして、画像表示フラグが設定されていたならば、Ｓ１６２で、メモリ３０から画像データを読み出して、これを画像表示部２８の表示形式に適合させて、メモリ制御回路２２を介して画像表示メモリ２４に転送し、画像表示部２８に画像を表示する。この表示は、第２のクイックレビュー表示である。
【０１１７】
この第２のクイックレビュー表示処理（Ｓ１６２）の段階では、既にダーク取り込み処理（Ｓ１５３）が行われた後であるため、現像処理（Ｓ１５４）においてダーク補正演算を行った後の画像データを用いて表示用の画像データを作成し、クイックレビュー表示を行う。
【０１１８】
尚、第２のクイックレビュー表示（Ｓ１６２）においては、既にダーク取り込み処理（Ｓ１５３）を終えた状態であるため、第１のクイックレビュー表示（Ｓ１５２）においてクイックレビュー画像に重ねて画像表示部２８に表示した「ｂｕｓｙ」等の文字表示を消去する。
【０１１９】
Ｓ１６１で、画像表示フラグが解除されていたならば、画像表示部２８がＯＦＦの状態のままＳ１６３に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法を意図したものである。
【０１２０】
Ｓ１６３では、システム制御回路５０は、シャッタースイッチＳＷ１がＯＦＦになるのを待つ。そして、シャッタースイッチＳＷ１がＯＦＦになったならばＳ１６４に進む。
【０１２１】
Ｓ１６４では、システム制御回路５０は、システム制御回路５０の内部メモリ或いはメモリ５２に記憶される画像表示フラグの状態を確認し、画像表示フラグが設定されていたならば、Ｓ１６５で、画像表示部２８の表示状態をスルー表示状態に設定して、一連の撮影動作を終えてＳ１０４に戻る。
【０１２２】
これにより、画像表示部２８でのクイックレビュー表示によって使用者が撮影画像を確認した後に、表示状態を次の撮影のために撮像された画像を逐次表示するスルー表示状態に以降させることができる。
【０１２３】
Ｓ１６４で、画像表示フラグが解除されていたならば、画像表示部２８の画像表示をＯＦＦ状態に設定して、一連の撮影動作を終えてＳ１０４に戻る。
【０１２４】
上記のように、一連の撮影動作において、画像データを記録媒体に記録する際、消去プロテクト自動実行機能がＯＮに設定されている場合は、消去プロテクトを掛けるための処理、すなわち、ファイル属性を「読出し専用」に設定し、消去プロテクト自動実行機能がＯＦＦに設定されている場合は、消去プロテクトを掛けないための処理、すなわち、ファイル属性を「読み書き」に設定する。
【０１２５】
図５は、図３のＳ１４０における測距・測光処理の詳細なフローチャートを示す。
【０１２６】
Ｓ２０１では、システム制御回路５０は、撮像素子１４から電荷信号を読み出し、Ａ／Ｄ変換器１６を介して画像データとして画像処理回路２０に逐次読み込む。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行う。
【０１２７】
尚、上記の各処理では、撮影した全画素数のうちの必要な部分を切り取るようにして抽出して演算に用いる。これにより、ＴＴＬ方式のＡＥ、ＥＦ、ＡＷＢ、ＡＦの各処理において、中央重点モード、平均モード、評価モードの各モードに適合した最適な演算を行うことできる。
【０１２８】
Ｓ２０２では、システム制御回路５０は、画像処理回路２０での演算結果に基づいて、露出（ＡＥ）が適正であるか否かを判断し、適正でないならば、Ｓ２０３に進み、露光制御部４０にＡＥ制御を実行させる。
【０１２９】
Ｓ２０４では、システム制御回路５０は、ＡＥ制御で得られた測定データを用いて、フラッシュの発光が必要か否かを判断し、フラッシュの発光が必要ならば、Ｓ２０５で、フラッシュフラグをセットしフラッシュ４８を充電する。
【０１３０】
Ｓ２０２で、露出（ＡＥ）が適正と判断したならば、測定データ及び／或いは設定パラメータをシステム制御回路５０の内部メモリ或いはメモリ５２に記憶する。
【０１３１】
Ｓ２０６では、システム制御回路５０は、画像処理回路２０での演算結果及びＡＥ制御で得られた測定データを用いて、ホワイトバランス（ＡＷＢ）が適正であるか否かを判断する。そして、適正でないならば、画像処理回路２０に、色処理のパラメータを調節するＡＷＢ制御を実行させる。
【０１３２】
Ｓ２０６で、ホワイトバランス（ＡＷＢ）が適正であると判断したならば、測定データ及び／或いは設定パラメータをシステム制御回路５０の内部メモリ或いはメモリ５２に記憶する。
【０１３３】
Ｓ２０８では、システム制御回路５０は、ＡＥ制御及びＡＷＢ制御で得られた測定データを用いて、測距（ＡＦ）の結果が合焦であるか否かを判断し、合焦状態でなかったならば、Ｓ２０９で、測距制御部４２にＡＦ制御を実行させる。
【０１３４】
そして、Ｓ２０８で、測距（ＡＦ）の結果が合焦であると判断したならば、測定データ及び／或いは設定パラメータをシステム制御回路５０の内部メモリ或いはメモリ５２に記憶し、測距・測光処理ルーチン（Ｓ１４０）を終了する。
【０１３５】
図６は、図４のＳ１５０における撮影処理の詳細なフローチャートを示す。
【０１３６】
まず、Ｓ３０１で、システム制御回路５０は、撮像素子１４の電荷クリア動作を行い、Ｓ３０２で、撮像素子１４の電荷蓄積を開始し、Ｓ３０３で、シャッター制御部４０によってシャッター１２を開き、Ｓ３０４で、撮像素子１４の露光を開始する。
【０１３７】
Ｓ３０５では、システム制御回路５０は、フラッシュ・フラグを参照してフラッシュ４８が必要であるか否かを判断し、必要である場合はフラッシュを発光させる。なお、フラッシュ４８を使用しない場合はＳ３０７に進む。
【０１３８】
Ｓ３０７では、システム制御回路５０は、測光データに従った撮像素子１４の露光終了を待ち、その後、Ｓ３０８で、シャッター制御部４０によってシャッター１２を閉じて、撮像素子１４の露光を終了する。
【０１３９】
Ｓ３０９では、システム制御回路５０は、設定された電荷蓄積時間が経過するのを待ち、その後、Ｓ３１０で、システム制御回路５０は、撮像素子１４による電荷蓄積を終了させる。次いで、Ｓ３１１では、撮像素子１４から電荷信号を読み出し、Ａ／Ｄ変換器１６、画像処理回路２０、メモリ制御回路２２を介して、或いはＡ／Ｄ変換器１６及びメモリ制御回路２２を介して、撮影画像データとしてメモリ３０の所定領域に書き込む。一連の処理を終えたならば、撮影処理ルーチン（Ｓ１５０）を終了する。
【０１４０】
図７は、図４のＳ１５３におけるダーク取り込み処理の詳細なフローチャートを示す。
【０１４１】
Ｓ４０１では、システム制御回路５０は、撮像素子１４の電荷クリア動作を行った後に、Ｓ４０２で、シャッター１２が閉じた状態で、撮像素子１４の電荷蓄積を開始する。
【０１４２】
Ｓ４０３では、システム制御回路５０は、設定された所定の電荷蓄積時間が経過するのを待ち、その後、Ｓ４０４で、システム制御回路５０は、撮像素子１４の電荷蓄積を終了させる。そして、Ｓ４０５では、撮像素子１４から電荷信号を読み出し、Ａ／Ｄ変換器１６、画像処理回路２０、メモリ制御回路２２を介して、或いはＡ／Ｄ変換器１６及びメモリ制御回路２２を介して、ダーク画像データとしてメモリ３０の所定領域に書き込む。
【０１４３】
このダーク取り込みデータを用いて現像処理を行うことにより、撮像素子１４の発生する暗電流ノイズや撮像素子１４固有のキズによる画素欠損等の画質劣化を低減することができる。なお、このダーク画像データは、新たにダーク取り込み処理が行われるか、画像処理装置１００の電源がＯＦＦにされるまで、メモリ３０の所定領域に保持される。
【０１４４】
或いは、メモリ３０の一部或いは全部をＥＥＰＲＯＭやハードディスク等の不揮発性メモリで構成して、ダーク画像データを該不揮発性メモリに書き込む構成を採用することにより、新たにダーク取り込み処理が行われるまで、このダーク画像データ保存してもよい。
【０１４５】
このダーク画像データは、撮影に係る画像を撮像素子１４より読み出して現像処理を行う際に用いられる。
【０１４６】
一速の処理を終えたならば、ダーク取り込み処理ルーチン（Ｓ１５３）を終了する。
【０１４７】
図８は、図４のＳ１５４における現像処理の詳細なフローチャートを示す。
【０１４８】
システム制御回路５０は、メモリ３０に書き込まれた撮影画像データ及びダーク画像データを読み出して、Ｓ５０１で、輝度信号処理を行い、Ｓ５０２で、色処理を施し、Ｓ５０３で、サムネイル画像処理を順次行った後、メモリ３０に処理を終えた画像データを書き込む。一連の処理を終えたならば、現像処理ルーチン（Ｓ１５４）を終了する。
【０１４９】
図９は、図２のＳ１１１におけるメニューモード処理の詳細なフローチャートを示す。
【０１５０】
Ｓ１１１におけるメニューモード処理は、本発明の請求項１から２に係わる消去プロテクト指定手段である。
【０１５１】
本実施例では、説明の便宜上、メニューモードで扱われる項目は、「消去プロテクト自動実行」のみとしている。
【０１５２】
Ｓ６０１では、システム制御回路５０は、消去プロテクト自動実行機能のＯＮ／ＯＦＦの設定状態を確認する。消去プロテクト自動実行機能がＯＮに設定されている場合はＳ６０３に進み、ＯＦＦに設定されている場合はＳ６０２に進む。
【０１５３】
Ｓ６０２とＳ６０３は、消去プロテクト自動実行機能の設定内容を変更するための待機状態である。
【０１５４】
Ｓ６０２は、消去プロテクト自動実行機能がＯＦＦに設定されている場合の画面である。
Ｓ６０３は、消去プロテクト自動実行機能がＯＮに設定されている場合の画面である。
【０１５５】
Ｓ６０２では、システム制御回路５０は、セット釦７６とメニュー釦７０の状態を確認する。セット釦７６が押されると設定内容を変更するべくＳ６０４に進む。また、メニュー釦７０が押されるとメニューモード処理（Ｓ１１１）を終了しリターンする。
【０１５６】
Ｓ６０３では、システム制御回路５０は、セット釦７６とメニュー釦７０の状態を確認する。セット釦７６が押されると設定内容を変更するべくＳ６０５に進む。また、メニュー釦７０が押されるとメニューモード処理（Ｓ１１１）を終了しリターンする。
【０１５７】
Ｓ６０４とＳ６０５は、消去プロテクト自動実行機能のＯＮ／ＯＦＦの切り替え中の状態である。
【０１５８】
Ｓ６０４は、消去プロテクト自動実行機能がＯＦＦに設定した場合の画面である。
【０１５９】
Ｓ６０５は、消去プロテクト自動実行機能がＯＮに設定した場合の画面である。
【０１６０】
Ｓ６０４では、システム制御回路５０は、セット釦７６と移動＋釦７２の状態を確認する。移動＋釦７２が押されるとＳ６０５に進み、セット釦７６が押されると設定内容を確定するべくＳ６０６に進む。
【０１６１】
Ｓ６０５では、システム制御回路５０は、セット釦７６と移動−釦７４の状態を確認する。移動−釦７４が押されるとＳ６０４に進み、セット釦７６が押されると設定内容を確定するべくＳ６０７に進む。
【０１６２】
Ｓ６０６では、システム制御回路５０は、消去プロテクト自動実行機能をＯＦＦに指定し、Ｓ６０２に戻る。
【０１６３】
Ｓ６０７では、システム制御回路５０は、消去プロテクト自動実行機能をＯＮに指定し、Ｓ６０３に戻る。
【０１６４】
上記のように、消去プロテクト自動実行機能の設定内容を変更するための待機状態（Ｓ６０２、Ｓ６０３）でセット釦７６を押すと、消去プロテクト自動実行機能のＯＮ／ＯＦＦの切り替え中の状態にある（Ｓ６０４、Ｓ６０５）。
【０１６５】
この状態で、移動＋釦７２、あるいは、移動−釦７４を押すことで、ＯＮ／ＯＦＦが切り替わり、セット釦７６を押すと、ＯＮ／ＯＦＦの設定が確定し（Ｓ６０６、Ｓ６０７）、再び、消去プロテクト自動実行機能の設定内容を変更するための待機状態に戻る。（Ｓ６０２、Ｓ６０３）
そして、メニュー釦７０を押すと、メニューモードを終了する、と言う手順で、消去プロテクト自動実行機能のＯＮ／ＯＦＦの設定を変更することになる。
【０１６６】
図１０は、図２のＳ１１４における再生モード処理の詳細なフローチャートを示す。
【０１６７】
Ｓ７０１では、システム制御回路５０は、「指定画像」を最新（最後）画像に設定する。
「指定画像」とは、再生する画像を指定するためのものである。
【０１６８】
この処理は、再生モードを起動した時の再生画像を最新画像にするためである。
【０１６９】
Ｓ７０２では、システム制御回路５０は、Ｓ７０１で得られた「指定画像」に対応する画像ファイルを記録媒体２００から読み出し、メモリ３０に格納する。
【０１７０】
Ｓ７０３では、システム制御回路５０は、メモリ３０から画像データを読出して、これを画像表示部２８の表示形式に適合させて、メモリ制御回路２２を介して画像表示メモリ２４に転送し、画像表示部２８に画像を表示する。
【０１７１】
Ｓ７０４では、システム制御回路５０は、移動＋釦７２が押されているか否かを確認し、移動＋釦７２が押されている場合はＳ７０５に進み、移動＋釦７２が押されていない場合はＳ７０６に進む。
【０１７２】
Ｓ７０５では、システム制御回路５０は、「指定画像」が最新画像であるか否かを確認し、「指定画像」が最新画像である場合はＳ７０８に進み、「指定画像」が最新画像でない場合はＳ７０９に進む。
【０１７３】
Ｓ７０６では、システム制御回路５０は、移動−釦７４が押されているか否かを確認し、移動−釦７４が押されている場合はＳ７０７に進み、移動−釦７４が押されていない場合はＳ７１２に進む。
【０１７４】
Ｓ７０７では、システム制御回路５０は、「指定画像」が先頭（最古）画像であるか否かを確認し、「指定画像」が先頭（最古）画像である場合はＳ７１０に進み、「指定画像」が先頭（最古）画像でない場合はＳ７１１に進む。
【０１７５】
Ｓ７０８では、システム制御回路５０は、「指定画像」を先頭画像に変更しＳ７１２に進む。
【０１７６】
Ｓ７０９では、システム制御回路５０は、「指定画像」を１つだけ最新側に変更しＳ７１２に進む。
【０１７７】
Ｓ７１０では、システム制御回路５０は、「指定画像」を最新画像に変更しＳ７１２に進む。
【０１７８】
Ｓ７１１では、システム制御回路５０は、「指定画像」を１つだけ先頭側に変更しＳ７１２に進む。
【０１７９】
Ｓ７１２では、システム制御回路５０は、「指定画像」に対応する画像ファイルを記録媒体２００から読み出し、メモリ３０に格納する。
【０１８０】
Ｓ７１３では、システム制御回路５０は、メモリ３０から画像データを読出して、これを画像表示部２８の表示形式に適合させて、メモリ制御回路２２を介して画像表示メモリ２４に転送し、画像表示部２８に画像を表示する。
【０１８１】
Ｓ７１４では、システム制御回路５０は、「指定画像」に対応する画像ファイルに消去プロテクトが掛けられているか否かを示す消去プロテクト情報表示を行う。
詳しくは、「指定画像」に対応する画像ファイルに消去プロテクトが掛けられていない場合、すなわち、ファイル属性が「読み書き」の場合は、消去プロテクト無しを示す表示（例えば、鍵マーク非点灯）を行い、消去プロテクトが掛けられている場合、すなわち、ファイル属性が「読み出し専用」の場合は、消去プロテクト有りを示す表示（例えば、鍵マーク点灯）を行う。
【０１８２】
Ｓ７１５では、システム制御回路５０は、消去釦７８が押されているか否かを確認し、消去釦７８が押されている場合はＳ７１６に進み、消去釦７８が押されていない場合はＳ７１９に進む。
【０１８３】
Ｓ７１６では、システム制御回路５０は、「指定画像」に対応する画像ファイルに消去プロテクトが掛けられているか否かを確認し、消去プロテクトが掛けられている場合はＳ７１９に進み、消去プロテクトが掛けられていない場合はＳ７１７に進む。
【０１８４】
Ｓ７１７では、システム制御回路５０は、「指定画像」に対応する画像ファイルを消去して、Ｓ７１８に進む。
【０１８５】
Ｓ７１８では、システム制御回路５０は、「指定画像」を１つだけ先頭側に変更し、Ｓ７１９に進む。
【０１８６】
Ｓ７１９では、再生釦６８の状態を確認し、再生モード釦６８が押されていない場合はＳＳ７０４に戻り、再生釦６８が押されている場合は、再生モード処理（Ｓ１１４）を終了しリターンする。
【０１８７】
上記のように、再生モードにおいて、指定した画像を表示する事で、過去に撮影した画像を確認することができ、指定した画像を表示させた状態で消去釦７８を押すことで、画像ファイルを消去することができる。また、指定した画像に消去プロテクトが掛けられている場合は、その画像ファイルは消去できないようにしている。
【０１８８】
図１１は、図２のＳ１０９における消去プロテクト自動実行機能の初期化処理の詳細なフローチャートを示す。
【０１８９】
Ｓ１０９における消去プロテクト自動実行機能の初期化処理は、本発明の請求項１から２に係わる初期設定状態決定手段である。
【０１９０】
Ｓ８０１で、システム制御回路５０は、モードダイヤル６０の設定位置を判断する。
モードダイヤル６０が、「簡単撮影ゾーン」に設定されている場合はＳ８０２に進み、モードダイヤル６０が、「応用撮影ゾーン」に設定されている場合はＳ８０３に進む。
【０１９１】
Ｓ８０２では、システム制御回路５０は、消去プロテクト自動実行機能をＯＮに指定し、Ｓ８０４に進む。
【０１９２】
Ｓ８０３では、システム制御回路５０は、消去プロテクト自動実行機能をＯＦＦに指定し、Ｓ８０４に進む。
【０１９３】
Ｓ８０４では、システム制御回路５０は、「消去プロテクト自動実行機能の初期化要求フラグ」をクリアし、消去プロテクト自動実行機能の初期化処理（Ｓ１０９）を終了しリターンする。
【０１９４】
上記のように、撮影モードを「簡単ゾーン」に変更した場合は、消去プロテクト自動実行機能はＯＮに初期設定され、撮影モードを「応用撮影ゾーン」に変更した場合は、消去プロテクト自動実行機能はＯＦＦに初期設定される。
【０１９５】
この実施の形態によれば、メニューモードにおいて、消去プロテクト自動実行機能のＯＮ／ＯＦＦの設定変更を行う。
【０１９６】
また、消去プロテクト自動実行機能のＯＮ／ＯＦＦの初期設定状態は、撮影モードを変更する事により初期設定状態が更新される。詳しくは、撮影モードを「応用撮影ゾーン」に変更した場合は、消去プロテクト自動実行機能の初期設定状態をＯＦＦに設定し、撮影モードを「簡単撮影ゾーン」に変更した場合は、消去プロテクト自動実行機能の初期設定状態をＯＮに設定する。
【０１９７】
また、一連の撮影動作において、画像データを記録媒体に記録する際、消去プロテクト自動実行機能がＯＮに設定されている場合は、画像ファイルに消去プロテクトを掛けるための処理、すなわち、ファイル属性を「読み出し専用」に設定し、消去プロテクト自動実行機能がＯＦＦに設定されている場合は、画像ファイルに消去プロテクトを掛けないための処理、すなわち、ファイル属性を「読み書き」に設定する。
また、再生モードにおいて、指定した画像を表示し、指定した画像を表示させた状態で消去釦を押すことで、画像ファイルを消去することができる。また、指定した画像に消去プロテクトが掛けられている場合は、その画像ファイルは消去できないようにしている。
【実施例２】
【０１９８】
上述したように本実施例では、消去プロテクト自動実行機能のＯＮ／ＯＦＦの設定操作は、基本的に撮影者が行う事を前提としたものである。
【０１９９】
これより説明する実施例２では、撮影モードに応じた自動切換えを前提とした実施の形態である。
【０２００】
図１３から図１５を参照して画像処理装置１００の主ルーチンの動作を説明する。
【０２０１】
電池交換に伴う電源投入等に従って、システム制御回路５０は、Ｓ９０１において、フラグや制御変数等を初期化し、Ｓ９０２では、画像表示部２８の画像表示をＯＦＦ状態に初期設定する。
【０２０２】
Ｓ９０３では、システム制御回路５０は、モードダイアル６０の設定位置を判断する。モードダイアル６０が「ＯＦＦ」に設定されている場合はＳ９０４に進み、モードダイヤル６０が「ＯＦＦ」以外に設定されている場合はＳ９０５に進む。
【０２０３】
Ｓ９０４では、システム制御回路５０は、Ｓ１０５と同様の終了処理を行い、Ｓ９０３に戻る。
【０２０４】
Ｓ９０５では、システム制御回路５０は、再生釦６８の状態を確認する。そして、再生釦６８が押されている場合はＳ９０７に進み、再生釦６８が押されていない場合はＳ９０６に進む。
【０２０５】
Ｓ９０６では、システム制御回路５０は、Ｓ１１３と同様の設定表示処理を行い、Ｓ９３０に進む。
【０２０６】
Ｓ９０７では、システム制御回路５０は、Ｓ１１４と同様の再生モード処理を行い、再生モード処理が終了したら、Ｓ９０３に戻る。
【０２０７】
Ｓ９３０では、システム制御回路５０は、画像表示のＯＮ／ＯＦＦを切り換える為のスイッチ６６の設定状態を確認し、画像表示がＯＮに設定されている場合はＳ９３１に進み、画像表示がＯＦＦに設定されている場合はＳ９３５に進む。
【０２０８】
Ｓ９３１では、システム制御回路５０は、画像表示部の開閉に関する検知部１０６により画像表示部２８が格納状態にあるか、表示可能状態（表示面が外部から見える状態）にあるかを判断する。そして、表示可能状態にあると判断したならば、Ｓ９３２で、画像表示フラグを設定し、Ｓ９３３で、画像表示部２８の画像表示をＯＮ状態に設定し、さらに、Ｓ９３４で、撮像中の画像を逐次表示するスルー表示状態に設定して、Ｓ９３７に進む。Ｓ９３４で行われるスルー表示処理は、Ｓ１３４のスルー表示処理と同様である。
【０２０９】
Ｓ９３０で、画像表示ＯＮ／ＯＦＦスイッチ６６が画像表示ＯＦＦの状態に設定されていた場合、或いは、Ｓ９３１で、画像表示部２８が格納状態にあると判断した場合は、Ｓ９３５で、画像表示フラグを解除し、Ｓ９３６で、画像表示部２８の画像表示をＯＦＦ状態に設定して、Ｓ９３７に進む。
【０２１０】
尚、画像表示フラグの状態は、システム制御回路５０の内部メモリ或いはメモリ５２に記憶される。
【０２１１】
Ｓ９３７では、システム制御回路５０は、シャッタースイッチＳＷ１の状態を確認し、シャッタースイッチＳＷ１がＯＦＦである場合はＳ９０３に戻る。一方、シャッタースイッチＳＷ１がＯＮである場合はＳ９３８に進む。
【０２１２】
Ｓ９３８では、システム制御回路５０は、システム制御回路５０の内部メモリ或いはメモリ５２に記憶される画像表示フラグの状態を確認する。そして、画像表示フラグが設定されていたならば、Ｓ９３９で、画像表示部２８の表示状態をフリーズ表示状態に設定して、Ｓ９４０に進む。Ｓ９３８で、画像表示フラグが解除されていたならば、Ｓ９４０に進む。Ｓ９３９で行われるフリーズ表示処理は、Ｓ１３９のフリーズ表示処理と同様である。
【０２１３】
Ｓ９４０では、システム制御回路５０は、測距処理を行って、撮影レンズ１０の焦点を被写体までの距離に応じて調整すると共に、測光処理を行って、絞り値及びシャッター時間を決定する。ここで、この測光処理では、必要であればフラッシュの設定も行う。
Ｓ９４０で行われる測距・測光処理は、Ｓ１４０の測距・測光処理と同様である。
【０２１４】
Ｓ９４１では、システム制御回路５０は、システム制御回路５０の内部メモリ或いはメモリ５２に記憶される画像表示フラグの状態を確認し、画像表示フラグが設定されていたならば、Ｓ９４２で、画像表示部２８の表示状態をスルー表示状態に設定して、Ｓ９４３に進む。Ｓ９４２で行われるスルー表示処理は、Ｓ１４２で行われるスルー表示処理と同様である。
【０２１５】
Ｓ９４３では、システム制御回路５０は、シャッタースイッチＳＷ２の状態を確認し、シャッタースイッチＳＷ２がＯＦＦ状態であれば、Ｓ９４５で、更にシャッタースイッチＳＷ１の状態を確認し、シャッタースイッチＳＷ１もＯＦＦ状態であれば、Ｓ９０３に戻る。
【０２１６】
一方、Ｓ９４３で、シャッタースイッチＳＷ２がＯＮであったならば、システム制御回路５０は、Ｓ９４４で、システム制御回路５０の内部メモリ或いはメモリ５２に記憶される画像表示フラグの状態を確認する。そして、画像表示フラグが設定されていたならば、システム制御回路５０は、Ｓ９４６で、画像表示部２８の表示状態を固定色表示状態に設定して、Ｓ９５０に進む。一方、Ｓ９４４で、画像表示フラグが解除されていたならば、Ｓ９５０に進む。Ｓ９４６で行われる固定色表示処理は、Ｓ１４６の固定色表示処理と同様である。
【０２１７】
Ｓ９５０では、システム制御回路５０は、撮像素子１４による撮像に係る画像データを、Ａ／Ｄ変換器１６、画像処理回路２０及びメモリ制御回路２２を介して、或いはＡ／Ｄ変換器及びメモリ制御回路２２を介して、メモリ３０に書き込む露光処理、並びに、メモリ制御回路２２及び必要に応じて画像処理回路２０を用いてメモリ３０に書き込まれた画像データを読み出して各種処理を行う現像処理からなる撮影処理を実行する。Ｓ９５０で行われる撮影処理は、Ｓ１５０の撮影処理と同様である。
【０２１８】
Ｓ９５１では、システム制御回路５０は、システム制御回路５０の内部メモリ或いはメモリ５２に記憶される画像表示フラグの状態を確認する。そして、画像表示フラグが設定されていたならば、Ｓ９５２で、メモリ３０から画像データを読み出して、これを画像表示部２８の表示形式に適合させて、メモリ制御回路２２を介して画像表示メモリ２４に転送し、画像表示部２８に画像を表示する。この表示は、第１のクイックレビュー表示である。
【０２１９】
Ｓ９５２で行われる第１のクイックレビュー表示処理は、Ｓ１５２の第１のクイックレビュー表示処理と同様である。
【０２２０】
Ｓ９５１で、画像表示フラグが解除されていたならば、画像表示部２８がＯＦＦの状態のままＳ９５３に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法を意図したものである。
【０２２１】
Ｓ９５３では、システム制御回路５０は、Ｓ１５３の同様のダーク取り込み処理を行い、Ｓ９５４に進む。
【０２２２】
Ｓ９５４では、システム制御回路５０は、Ｓ１５４と同様の現像処理を行い、Ｓ９５５に進む。
【０２２３】
Ｓ９５５では、システム制御回路５０は、Ｓ１５５と同様の圧縮処理を行い、Ｓ９５６に進む。
【０２２４】
これより説明するＳ９５６、Ｓ９５８、Ｓ９６０は、本発明の請求項３に係わる消去プロテクト実行手段である。
【０２２５】
Ｓ９５６では、システム制御回路５０は、モードダイヤル６０の設定位置を確認する。モードダイヤル６０が、「簡単撮影ゾーン」に設定されている場合はＳ９５９に進み、「応用撮影ゾーン」に設定されている場合はＳ９５７に進む。
【０２２６】
Ｓ９５７では、システム制御回路５０は、メモリ３０の画像記憶バッファ領域に記憶した画像データを読み出して、インタフェース９０、コネクタ９２を介して、コンパクトフラッシュ(登録商標)カード等の記録媒体に書き込みを行う記録処理を行う。記録処理で記録される画像ファイルの形態を図１２に示す。
【０２２７】
画像ファイルの形態は、シャッター速度、絞り値、日付、などを含む撮影情報と、サムネイル画像、本画像から構成される。
【０２２８】
ここで、記録処理の実行中は、例えば、表示部５４においてＬＥＤを点滅させるなどしてその旨を明示することが好ましい。Ｓ９５７は、本発明の請求項３に係わる記録手段である。
【０２２９】
Ｓ９５８では、システム制御回路５０は、Ｓ９５７で記録した画像ファイルに対して消去プロテクトを掛けないための処理を行う。詳しくは、Ｓ９５７で記録した画像ファイルのファイル属性を「読み書き」に設定する。
【０２３０】
Ｓ９５９では、システム制御回路５０は、メモリ３０の画像記憶バッファ領域に記憶した画像データを読み出して、インタフェース９０、コネクタ９２を介して、コンパクトフラッシュ(登録商標)カード等の記録媒体に書き込みを行う記録処理を行う。Ｓ９５９で行われる記録処理は、Ｓ９５７の記録処理と同様である。Ｓ９５９は、本発明の請求項３に係わる記録手段である。
【０２３１】
Ｓ９６０では、システム制御回路５０は、Ｓ９５９で記録した画像ファイルに対して消去プロテクトを掛けるための処理を行う。詳しくは、Ｓ９５９で記録した画像ファイルのファイル属性を「読み出し専用」に設定する。
【０２３２】
Ｓ９６１では、システム制御回路５０は、システム制御回路５０の内部メモリ或いはメモリ５２に記憶される画像表示フラグの状態を確認する。そして、画像表示フラグが設定されていたならば、Ｓ９６２で、メモリ３０から画像データを読み出して、これを画像表示部２８の表示形式に適合させて、メモリ制御回路２２を介して画像表示メモリ２４に転送し、画像表示部２８に画像を表示する。この表示は、第２のクイックレビュー表示である。
【０２３３】
Ｓ９６２で行われる第２のクイックレビュー表示処理は、Ｓ１６２の第２のクイックレビュー表示処理と同様である。
【０２３４】
Ｓ９６１で、画像表示フラグが解除されていたならば、画像表示部２８がＯＦＦの状態のままＳ９６３に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法を意図したものである。
【０２３５】
Ｓ９６３では、シャッタースイッチＳＷ１がＯＦＦになるのを待つ。そして、シャッタースイッチＳＷ１がＯＦＦになったならばＳ９６４に進む。
【０２３６】
Ｓ９６４では、システム制御回路５０は、システム制御回路５０の内部メモリ或いはメモリ５２に記憶される画像表示フラグの状態を確認し、画像表示フラグが設定されていたならば、Ｓ９６５で、画像表示部２８の表示状態をスルー表示状態に設定して、一連の撮影動作を終えてＳ９０３に戻る。Ｓ９６５で行われるスルー表示処理は、Ｓ１６５のスルー表示処理と同様である。
【０２３７】
Ｓ９６４で、画像表示フラグが解除されていたならば、画像表示部２８の画像表示をＯＦＦ状態に設定して、一連の撮影動作を終えてＳ９０３に戻る。
【０２３８】
この実施例によれば、一連の撮影動作において、画像データを記録媒体に記録する際、撮影モードが「簡単撮影ゾーン」に設定されている場合は、画像ファイルに消去プロテクトを掛けるための処理、すなわち、ファイル属性を「読み出し専用」に設定し、撮影モードが「応用撮影ゾーン」に設定されている場合は、画像ファイルに消去プロテクトを掛けないための処理、すなわち、ファイル属性を「読み書き」に設定する。
【図面の簡単な説明】
【０２３９】
【図１】本発明の実施例１に係わる画像処理装置（電子カメラ）のブロック図である。
【図２】本発明の実施例１に係わる画像処理装置の主ルーチンのフローチャートの一部である。
【図３】本発明の実施例１に係わる画像処理装置の主ルーチンのフローチャートの一部である。
【図４】本発明の実施例１に係わる画像処理装置の主ルーチンのフローチャートの一部である。
【図５】本発明の実施例１に係わる画像処理装置の測光・測距ルーチンのフローチャートである。
【図６】本発明の実施例１に係わる画像処理装置の撮影ルーチンのフローチャートである。
【図７】本発明の実施例１に係わる画像処理装置のダーク取り込みルーチンのフローチャートである。
【図８】本発明の実施例１に係わる画像処理装置の現像処理ルーチンのフローチャートである。
【図９】本発明の実施例１に係わるメニューモード処理のフローチャートである。
【図１０】本発明の実施例１に係わる再生モード処理のフローチャートである。
【図１１】本発明の実施例１に係わる消去プロテクト自動実行機能の初期化のフローチャートである。
【図１２】本発明の実施例１に係わる画像ファイルの形態を示す図である。
【図１３】本発明の実施例２におけるフローチャートである。
【図１４】本発明の実施例２におけるフローチャートである。
【図１５】本発明の実施例２におけるフローチャートである。
【符号の説明】
【０２４０】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  コネクタ（アクセサリシュー）
５０  システム制御回路
５２  メモリ
５４  表示部
５６  不揮発性メモリ
６０  モードダイヤルスイッチ
６２  シャッタースイッチＳＷ１
６４  シャッタースイッチＳＷ２
６６  画像表示ＯＮ／ＯＦＦスイッチ
６８  再生釦
７０  メニュー釦
７２  移動＋釦
７４  移動−釦
７６  セット釦
７８  消去釦
８０  電源制御部
８２  コネクタ
８４  コネクタ
８６  電源部
９０  インターフェース
９２  コネクタ
９８  着脱検知部
１００  画像処理装置
１０２  保護手段
１０４  光学ファインダー
１０６  画像表示部の開閉検知部
２００  記録媒体
４００  フラッシュ装置
４０２  コネクタ
４０４  フラッシュ
【図１】
2005130393.tif 000003
【図２】
2005130393.tif 000004
【図３】
2005130393.tif 000005
【図４】
2005130393.tif 000006
【図５】
2005130393.tif 000007
【図６】
2005130393.tif 000008
【図７】
2005130393.tif 000009
【図８】
2005130393.tif 000010
【図９】
2005130393.tif 000011
【図１０】
2005130393.tif 000012
【図１１】
2005130393.tif 000013
【図１２】
2005130393.tif 000014
【図１３】
2005130393.tif 000015
【図１４】
2005130393.tif 000016
【図１５】
2005130393.tif 000017